(57)【要約】      （修正有）【課題】買物バッグがコンパクトに折り畳め、持ち運びが容易でスーパーの籠の上に広げやすく、商品が詰め替えやすい買物バッグを提供する。【解決手段】買物バッグ本体の一側を蓋部とすると共に他側を収納部とし、さらに下側を底部として、買物バッグ収納部上部に可動軸部を有するガマグチ枠により、ガマグチ枠を半分に折り畳み、アルミシートをカットした部分を折り目とし、折り畳みが出来、蓋部と収納部の間に通し穴を設け、その通し穴に把手を通すことにより蓋部の移動が出来、ガマグチ枠を店舗で用意されている店舗の買物籠の上にガマグチ枠を広げた状態で載せて使用できる買物バッグ。【選択図】図１
0003145343.tif 000002
【実用新案登録請求の範囲】
【請求項１】
買物バッグ本体の一側を蓋部とすると共に他側を収納部とし、さらに下側を底部として
、買物バッグ収納部上部に可動軸部を有するガマグチ枠により、ガマグチ枠を半分に折り畳み、蓋部および収納部も折り畳み係止出来、コンパクトで軽量であることを特徴とする買物バッグ。
【請求項２】
前記買物バッグ本体の蓋部と収納部と底部にアルミシートと布地を接合し、保冷・保温機能を有し、アルミシートをカットした部分を折り目とすることを特徴とする請求項１記載の買物バッグ。
【請求項３】
前記蓋部と、収納部の間に通し穴を設け、その通し穴に把手を通すことにより蓋部の移
動を可能としたことを特徴とする請求項１記載の買物バッグ。
【請求項４】
前記買物バッグ収納部上部のガマグチ枠は、店舗で用意されている店舗の買物籠の上にガマクチ枠を広げた状態で載せることを特徴とする買物バッグ。
【請求項５】
把手の長さを長めにすることにより、把手の内側に蓋部を通しの蓋部の移動を可能としたことを特徴とする請求項１記載の買物バッグ。
【考案の詳細な説明】
【技術分野】
【０００１】
本考案は、スーパーなどの店舗などで使用される持参を目的とした買物バッグに関する。
【背景技術】
【０００２】
近年、ゴミの減量化およびＣＯ２排出量削減が提唱され、スーパーマーケットなどの店舗に於いては、従来、買物客に対して、商品を入れるレジ袋（いわゆるビニール袋）を無償で配布していたが、できる限りこのような袋を使用しないように種々の方策が検討されている。この一方策として、買物籠（例えば、プラスチック製の買物用バスケット）を、そのまま買物客に自宅まで持ち帰ってもらうマイバスケットや自分用の買物バッグをマイバッグとして、持参をするよう国や地域、環境団体等で盛んに呼び掛けられるようになっている。かかるマイバスケット、マイバッグを持参するには、店舗側にとっては、レジ袋を提供する必要がなく、コストの削減が出来る。他方、買物客側にとっては、精算後に、買物籠から袋へ商品を入れ替える必要がなく、双方にとってメリットがある。また、地球環境に於いては、ゴミの削減、ＣＯ２削減となり、環境負荷を軽減出来る。実用新案登録第３０６７１６５号（特許文献１）に記載される買物用バッグは、箱状の物の内側に買物袋を広げた状態で置き、買物袋の上部を箱状物の四方外側へ折り返して使用するものである。精算した商品は買物袋に入れればよく、精算が終了すると買物袋の上部を持って持ち上げれば、商品はそのまま持ち帰ることができる。
【０００３】
また、特許第３５４７７０５号（特許文献２）に開示される発明は、購入した商
品を収容する買物籠から空き買物籠に商品を移し変えるに際して空き買物籠内に装着する
買物用バッグに関するものである。この買物用バッグは、上方を開口した袋状のバッグ本
体に連続してカバー部を形成したものである。客は、カウンター上の空き買物籠にバッグ
本体を入れ、カバー部を買物籠の周壁上端部から外側に折り返して装着する。精算した商
品は店員により買物袋に直接入れてもらい、精算が終了すると買物袋の上部を持って持ち
上げれば、商品はそのまま持ち帰ることができる。
【０００４】
また、実用新案登録第３１０６７２４号（特許文献３）に記載される買物用バッグは、
かばんの左・右上部にフックを設け、買物用カートを使用する時は左・右上部にフックを
掛け固定して使い、使わない時は折り畳んで袋ケースに入れる買物用バッグである。
【０００５】
【特許文献１】実用新案登録第３０６７１６５号公報（第２頁、図１）
【特許文献２】特許第３５４７７０５号公報（第６頁、図１）
【特許文献３】実用新案登録第３１０６７２４号公報（第４頁、図１）
【０００６】
これらは精算した商品は店員により買物袋に直接入れてもらい、精算が終了すると買物袋の上部を持って持ち上げれば、商品はそのまま持ち帰ることができる。
【考案の開示】
【考案が解決しようとする課題】
【０００７】
ところで、従来、店舗に準備されている買物籠は、購入した商品を入れるために準備さ
れている。そして、客が自ら持参したマイバッグ等のバッグ代用方式にて買物を行う場合
、店舗に準備されている買物籠に入れた購入しようとする商品は、レジを通した後、店舗
に準備されている買物籠へ入れ替えられ、持参のマイバッグへ購入した商品を入れ替える
。その他の方法に、かかる買物籠の中に買物客が持参したバッグの口を広げ、商品をレジ
に於いて、レジ係に入れ替えてもらう場合もあるのだが、バッグの口が小さかったり、買
物籠では広げにくく、詰め替えしにくい状況をよく見かける。
【０００８】
しかしながら、従来から知られている持参するマイバッグは、買物籠に沿った形状には
、形成されていないので、籠本体の内側に入れる袋の大きさがまちまちであるため、客が
持参した袋は、レジ係にとっては大変商品を詰め替えしにくいものとなっている。
【０００９】
特許文献１および特許文献２に記載する考案は、いずれも買物用バッグの上部を買物籠の上端縁に折り返し、商品を買物用バッグに直接に入れるものであるが、買物籠には一対の提げ手が設けてあり、買物用バッグはこの提げ手の上に被せるように取り付けるので、商品精算が済んで買物用バッグを持ち上げる時に提げ手に引っかかり、簡単に取り出しにくいものであった。特に、特許文献２に記載する考案は、折り畳んでもかさばるものである。
【００１０】
特許文献３に記載する考案も左・右上部にフックを掛け固定するので、簡単に取り出し
にくいものであった。使わない時は折り畳んで袋ケースに入れることに於いても、折り畳
むことの手間が掛かる上、かさばるものである。
【００１１】
また、上記３件の特許文献に於いて、その他客が持参したマイバッグは、店舗に準備さ
れている買物籠の形状に合わせたものでないためにマイバッグの口の大きさが違うために
、マイバッグの口を広げることに手間が掛かる。更には、買物籠に持参したバッグを広げ
る際、レジではレジ待ちの客が自分の後ろに何人も並ばれると、慌てバッグを広げること
に焦りを感じることもある。
【００１２】
また、スーパーの籠と同じような形状の籠を持参するマイ籠持参の場合、レジで商品の
詰め替えをレジ係にしてもらい、そのまま持ち帰えれるのは良いが、持参した籠が大きく
、バイクや自転車に乗る客には、不向きであり、車に乗る客の場合でも籠はスペースを大
きく奪われ、邪魔となる。そして、家庭での保管の場所にも困るという現状がある。
【００１３】
然るに、本買物バッグは、コンパクトに折り畳め、持ち運びがやりやすくすることがで
きる折り畳み可能な買物バッグを提供することを課題とする。また、本考案は、スーパー
の籠の上に広げやすく、商品が詰め替えやすい買物バッグを提供することを課題とする。
そして、購入したものが見えないように蓋が出来、保冷効果機能を加えた買物バッグを提
供することを課題とする。
【課題を解決するための手段】
【００１４】
本考案の請求項１は、買物バッグ本体の一側を蓋部とすると共に他側を収納部とし、さらに下側を底部として、買物バッグ収納部上部に可動軸部を有するガマグチ枠により、ガマグチ枠を半分に折り畳み、蓋部および収納部も折り畳み係止出来、コンパクトで軽量な構成とした。
【００１５】
本考案の請求項２は、前記買物バッグ本体の蓋部と収納部と底部にアルミシートと布地
を接合し、保冷・保温機能を有し、アルミシートをカットした部分を折り目とする構成とした。
【００１６】
本考案の請求項３は、前記蓋部と、収納部の間に通し穴を設け、その通し穴に把手を通
すことにより蓋部の移動を可能とする構成とした。
【００１７】
本考案の請求項４は、前記買物バッグ収納部上部のガマグチ枠は、店舗で用意されている店舗の買物籠の上にガマグチ枠を広げた状態で載せることで、手軽な設置を解決することとした。
【考案の効果】
【００１８】
以上の通り、本考案によると、使用しないときは、コンパクトに折り畳めることが出来、持ち運びがしやすくなる。また、レジ台に於いて店舗で準備されている買物籠に入れ替えるときに簡単に口を開き、入れ替える先の買物籠の上に広げることが出来、持参した自分の買物バッグに直接入れてもらい、従来のように清算後の商品の詰め替えをしなくても良く、手間が省ける。しかも、買物バッグの内側には、アルミシートが取り付けてあるので、保冷効果があり、食品を家に持ち帰るまでの時間、食品を腐敗から守ることも出来る。
【００１９】
また、折り畳んで、保持している蓋の面ファスナーを外し、把手を蓋が取り付けられている部分中央の通し穴を潜らせることにより、蓋を引っ張って、蓋とし、面ファスナーにより固定することが出来るので、他の人から購入した商品を見られる心配もない。さらに、店舗側にとっては、レジ袋を提供する必要がなく、コストの削減が出来る。地球環境に於いては、ゴミの削減、ＣＯ２削減となり、環境負荷を軽減出来る商品のが提供される。 
【考案を実施するための最良の形態】
【００２０】
その主な構造は、買物バッグ本体の一側を蓋部とすると共に他側を収納部とし、さらに下側を底部として
、買物バッグ収納部上部に可動軸部を有するガマグチ枠により、ガマグチ枠を半分に折り畳み、蓋部および収納部も折り畳み係止出来、コンパクトで軽量であることを特徴とする買物バッグとした。
【実施例１】
【００２１】
買物バッグ本体の一側を蓋部とすると共に他側を収納部とし、さらに下側を底部として
、買物バッグ収納部上部に可動軸部を有するガマグチ枠により、ガマグチ枠を半分に折り畳み、蓋部および収納部も折り畳み、係止出来ることを可能とし、蓋部と収納部と底部にアルミシートと布地を接合し、アルミシートをカットした部分を折り目とし、蓋部と収納部の間に通し穴を設け、その通し穴に把手を通すことにより蓋部の移動を可能とし、買物バッグ収納部上部のガマグチ枠は、店舗で用意されている店舗の買物籠の上にガマグチ枠を広げた状態で載せて使用し、買物バッグ本体の一側を蓋部、収納部、底部は、折り畳み可能とする買物バッグ。
【００２２】
以下、本考案の実施の形態について図１から図２を用いて説明する。図１は、本考案の買物バッグを買物籠の上に乗せ、ガマグチを開いた状態の説明図、図２は本考案の買物バッグを買物籠の上に乗せ、買物バッグの蓋をした状態説明図である。
【００２３】
本考案は、可動軸部４を有するガマグチ枠３と蓋部８と買物バッグ２と把手１とにより構成する。
【００２４】
最初に買物バッグについて説明する。本考案を使用する時は、買物バッグ２は図１に示すように、レジで清算してもらうときに、自らが持参した買物バッグを買物籠１２の上に乗せ、ガマグチを開き、清算後商品を入れてもらった後、図２のように蓋をすることが出来る。
【００２５】
買物バッグ２は、図３に示すガマグチ枠３は、金属・樹脂・ステンレス・竹・木などで作成し、図４の買物バッグ２に取り付ける。図５に示すように、布地１０の上にアルミシート５を載せ、縫い合わせ・接着などにより固定している。図６に示すようにガマグチ枠３には、可動軸部４が設けてあり、ガマグチの枠を可動軸の軸により、半分に折り曲げ、買物バッグを半分の大きさにコンパクトに出来たり、広げたり出来るものである。
【００２６】
図７に於いては可動軸部４を示しているが、可動軸凸部４ｂを可動軸凹部４ａに貫通さ
せることにより、可動軸部４となる。図８および図９蓋部８を取り付ける図である。図８および図９のように蓋部８折り曲げ、面ファスナー６、或いはファスナー・ボタン・ホック等で係止し、収納部１５に取り付けたものである。
【００２７】
図１０は、収納部１５が折り曲げられる前を示した図である。面ファスナー６等により、係止し、図１１の買物バッグ２の状態とすることができコンパクトになるが、ガマグチを開いた場合は、図１２の状態になる。
【００２８】
図１３は、買物バッグ２の展開図である。展開図に示している中央の窪み部１３は、図
１４の断面図で分かるように、布地１０とアルミシート５が切り取られ、或いはアルミシート５を着けていない布地１０だけにした部分は、折り目として、バッグを折りやすくしているものである。
【００２９】
図１４に示すアルミシート５は、縫い合わせ作業やバッグを折り畳みのやり易さを考慮し、買物バッグをコンパクトにするために１ｍｍ〜５ｍｍが好ましく、端が破損しやすくなることから、不織布１１により保護をし、縫いつけてられている。
【００３０】
図１３に示した展開図を縫い合わせると、図４の買物バッグ２となる。買物バッグは、
ガマグチ枠３の口の大きさとなり、高さは２０ｃｍから４０ｃｍまでが好ましい。図１５のように上から見た状態であるが、平らにすることも出来る買物バッグである。
【００３１】
図１６は、底部１６を示しているが、図１４に示す窪み部１３により、矢印のように折り畳むことが出来る。
【００３２】
以下本考案の作り方を説明する。図１３の展開図のとおりに縫い合わせ、図４の状態になるよう、収納部１５の脇を縫い合わせ、蓋部８を縫い付ける。蓋部は、図１７に示すように、通し穴１４を残し、縫い付ける。そして、ガマグチ枠を広げた状態で、ガマグチ枠３と収納部１５を縫い合わせる。この時、不織布１１または布地１０をガマグチ枠を挟み込み縫い合わせる。出っ張りとなる可動軸部４は、外して縫う。蓋部８および収納部１５の蓋部側面と相対する面の四方の角に面ファスナーを取り付ける。舌片９に取り付けた面ファスナーに対し、蓋部８を引っ張り固定する収納部１５側面上部に面ファスナーを取り付ける。そして、把手を縫いつけ、またはガマグチ枠に結びつけに取り付ける。
【００３３】
以下本考案を使用しない、保管するときの状態を説明する。図１８のように、買物バッグを可動軸部４により折り畳むことが出来るものである。さらに図１９は、その折り畳んだ状態から、さらに買物バッグ２をコンパクトにするため、図２０は、買物バッグを使用していない、買物バッグの中に品物が入っていない状態を示したもので、すっきりとコンパクトにすることが出来る。
【００３４】
図２１は、蓋を閉めた状態の断面図である。
【実施例２】
【００３５】
本考案の実施例２について説明する。把手の長さを長めにすることにより、把手の内側に蓋部を通しの蓋部の移動を可能とすることが出来る。
【図面の簡単な説明】
【００３６】
【図１】本考案品を買物籠の上に乗せ、ガマグチを開いた状態の説明図
【図２】本考案品を買物籠の上に乗せ、買物バッグの蓋をした状態での説明図
【図３】本考案品のガマグチ枠部分を示した分解説明図
【図４】本考案品の収納部部分を示した分解説明図
【図５】本考案品の布地の上にガマグチ枠を挟み、アルミシートを載せた部分断面図
【図６】本考案品のガマグチの枠を可動軸の軸により、半分に折り曲げる状態の説明図
【図７】本考案品の可動軸凸部を可動軸凹部に貫通させた部分の分解説明図
【図８】本考案品の蓋部を取り付ける状態の展開説明図
【図９】本考案品の蓋部とガマグチ枠を収納部へ取り付ける展開説明図
【図１０】本考案品の収納部が折り曲げられる前を示した使用説明図
【図１１】本考案品の収納部を折り曲げた使用説明図
【図１２】本考案品のガマグチを開いた状態の説明図
【図１３】本考案品を縫い合わせる前の展開説明図
【図１４】本考案品の窪み部部分断面図
【図１５】本考案品を平らにし、上から見た状態説明図
【図１６】本考案品の底部を示した状態説明図
【図１７】本考案品の把手の移動のための通し穴を示す説明図
【図１８】本考案品を折り曲げた状態を示す側面図
【図１９】本考案品の収納部を折り畳む状態の使用断面図
【図２０】本考案品の未使用時の移動や収納時の使用状態図
【図２１】本考案品の蓋を閉めた状態の断面図
【図２２】本考案品の中に品物を詰めた状態の写真
【図２３】本考案品の中に品物を入れ、蓋をした状態の写真
【符号の説明】
【００３７】
１              把手
２              買物バッグ
３              ガマグチ枠
４              可動軸部
４ａ            可動軸凹部
４ｂ            可動軸凸部
５              アルミシート
６              面ファスナー
８              蓋部
９              舌片
１０            布地
１１            不織布
１２            買物籠
１３            窪み部
１４            通し穴
１５            収納部
１６            底部
【図１】
0003145343.tif 000003
【図２】
0003145343.tif 000004
【図３】
0003145343.tif 000005
【図４】
0003145343.tif 000006
【図５】
0003145343.tif 000007
【図６】
0003145343.tif 000008
【図７】
0003145343.tif 000009
【図８】
0003145343.tif 000010
【図９】
0003145343.tif 000011
【図１０】
0003145343.tif 000012
【図１１】
0003145343.tif 000013
【図１２】
0003145343.tif 000014
【図１３】
0003145343.tif 000015
【図１４】
0003145343.tif 000016
【図１５】
0003145343.tif 000017
【図１６】
0003145343.tif 000018
【図１７】
0003145343.tif 000019
【図１８】
0003145343.tif 000020
【図１９】
0003145343.tif 000021
【図２０】
0003145343.tif 000022
【図２１】
0003145343.tif 000023
【図２２】
0003145343.tif 000024
【図２３】
0003145343.tif 000025
【手続補正書】
【提出日】平成20年6月21日(2008.6.21)
【手続補正１】
【補正対象書類名】実用新案登録請求の範囲
【補正対象項目名】請求項４
【補正方法】変更
【補正の内容】
【請求項４】
前記買物バッグ収納部上部のガマグチ枠は、店舗で用意されている店舗の買物籠の上にガマクチ枠を広げた状態で載せることを特徴とする請求項１記載の買物バッグ。